(57)【要約】【課題】  蓋体の開放時に天板上の空間部に蓋体による圧迫感を与えないようにしつつ蓋体を安定して支持でき、且つリンク部材の支持強度を高めた天板に蓋体を備えた机を提供すること。【解決手段】  蓋体の移動手段を、天板における後部の左右両側部に立設した基部８と、この基部と蓋体とに各々の両端が枢着された二つのリンク部材とし、基部を、天板上に螺着したコ字状の第１支持金具５と、この第１支持金具５の水平片５ｅ上を左右方向に摺動可能に設けられた正面視Ｌ字状の第２支持金具６とからなるものとし、両リンク部材の一端を、第１支持金具５の外方の垂直片５ｄ’と第２支持金具６の垂直片６ｄとの間の空間でそれぞれ回動するように、そのうち一方のリンク部材１１は両垂直片５ｄ’、６ｄの間隔幅を調整する間隔調節手段７，７ｃによって回動自在に支持させ、両リンク部材の他端は蓋体に軸支させて両リンク部材のガタツキを防止する。【選択図】  図４
2006223715.tif 000002
【特許請求の範囲】
【請求項１】
天板と、該天板上に載置された機器を覆う閉塞位置と、該機器の上方が開放される開放位置との間で移動しうる蓋体とを備える机において、前記蓋体の移動手段を、前記天板における後部の左右両側部に立設した基部と、該基部と前記蓋体とに各々の両端が枢着された二つのリンク部材とし、前記基部を、前記天板上に螺着される正面視で上方が開口するコ字状の第１支持金具と、該第１支持金具の水平片上を左右方向に摺動可能に設けられた正面視Ｌ字状の第２支持金具とからなるものとし、前記両リンク部材の一端を、前記第１支持金具の外方の垂直片と前記第２支持金具の垂直片との間の空間でそれぞれ回動するように、そのうち一方のリンク部材は前記両垂直片の間隔幅を調整する間隔調節手段によって回動自在に支持させ、前記両リンク部材の他端は蓋体に軸支させたことを特徴とする天板に蓋体を備えた机。
【請求項２】
前記間隔調整手段を、前記両支持金具を連結する連結ボルトと、該連結ボルト上で回転する調整ナットで構成し、前記一方のリンク部材の一端を、前記連結ボルト上で回動するように軸支させた請求項１に記載の天板に蓋体を備えた机。
【請求項３】
前記連結ボルトが、前記第１支持金具の外方の垂直片から貫挿され、前記第２支持金具の垂直片を貫通して、前記第１支持金具の内方の垂直片に貫挿されるものとした請求項２に記載の天板に蓋体を備えた机。
【請求項４】
前記第１支持金具の内方の垂直片と、前記第２支持金具の垂直片との間にダンパーを支持させ、該ダンパーから前記空間に向けて延びた回転制動力が付加される回動軸に前記両リンク部材のうち他方のリンク部材の一端を回動不能に取り付けた請求項１乃至３のいずれかに記載の天板に蓋体を備えた机。
【請求項５】
前記第２支持金具の水平片に左右方向に向く長孔を穿設し、ボルトを該長孔および前記第１支持金具の水平片に設けたボルト孔に介挿させて前記天板に螺着することで、前記第１支持金具および前記第２支持金具を天板に固定した請求項１乃至４のいずれかに記載の天板に蓋体を備えた机。
【請求項６】
前記一方のリンク部材の一端は回転ブッシュを介して前記連結ボルトに回動可能に支持されている請求項２乃至５のいずれかに記載の天板に蓋体を備えた机。
【発明の詳細な説明】
【技術分野】
【０００１】
本発明は、天板と、該天板上に載置された機器を覆う閉塞位置と該機器の上方が開放される開放位置との間で移動しうる蓋体と、を備えた机に関する。
【背景技術】
【０００２】
従来の机やテーブル等には、天板２に載置された物品を覆うようにして、天板２上部を閉蓋可能な蓋体１が載置され、例えばその内部にノートパソコン等を収納可能になっており、第１リンク部材４および第２リンク部材５を前後に平行させて平行リンクを構成し、蓋体１の側板１ａに両リンク部材４，５それぞれの一端を枢着させ、第１リンク部材４の他端を支持ボックス１０に取り付けられた軸受１２に支持された軸１１に固設させ、第２リンク部材５の他端を、支持ボックス１０に固設される取付金具１０ａにピン８で連結させていることで、蓋体１の開放時に蓋体１を天板２より少し後方に位置させることができ、天板２上の空間部に蓋体１による圧迫感を与えないようにしたものがある。（例えば、特許文献１参照）。
【０００３】
【特許文献１】特開２００５−６９５９号公報（段落００１８〜段落００２３、図１〜３）
【発明の開示】
【発明が解決しようとする課題】
【０００４】
しかしながら、特許文献１においては、第１リンク部材４の他端が軸１１に片持支持されるとともに、第２リンク部材５の他端もピン８で取付金具１０ａに片持支持されただけなので、径の大きい軸１１やピン８を使用してリンク部材の支持強度を高める構造にする必要があった。
【０００５】
本発明は、このような問題点に着目してなされたもので、蓋体の開放時に天板上の空間部に蓋体による圧迫感を与えないようにしつつ蓋体を安定して支持でき、且つリンク部材の支持強度を高めた天板に蓋体を備えた机を提供することを目的とする。
【課題を解決するための手段】
【０００６】
上記課題を解決するために、本発明の請求項１に記載の天板に蓋体を備えた机は、天板と、該天板上に載置された機器を覆う閉塞位置と、該機器の上方が開放される開放位置との間で移動しうる蓋体とを備える机において、前記蓋体の移動手段を、前記天板における後部の左右両側部に立設した基部と、該基部と前記蓋体とに各々の両端が枢着された二つのリンク部材とし、前記基部を、前記天板上に螺着される正面視で上方が開口するコ字状の第１支持金具と、該第１支持金具の水平片上を左右方向に摺動可能に設けられた正面視Ｌ字状の第２支持金具とからなるものとし、前記両リンク部材の一端を、前記第１支持金具の外方の垂直片と前記第２支持金具の垂直片との間の空間でそれぞれ回動するように、そのうち一方のリンク部材は前記両垂直片の間隔幅を調整する間隔調節手段によって回動自在に支持させ、前記両リンク部材の他端は蓋体に軸支させたことを特徴としている。
この特徴によれば、二つのリンク部材を用いて蓋体を開閉するので、蓋体開放時に天板の後方に蓋体を保持させて、天板上の空間部に蓋体による圧迫感を与えないようにできる。また、間隔調節手段によって第１支持金具上に第２支持金具を摺動させながら、第１支持金具の外方の垂直片と第２支持金具の垂直片の間隙幅を極力狭めることにより、両リンク部材のガタツキを防止できる。
【０００７】
本発明の請求項２に記載の天板に蓋体を備えた机は、請求項１に記載の天板に蓋体を備えた机であって、前記間隔調整手段を、前記両支持金具を連結する連結ボルトと、該連結ボルト上で回転する調整ナットで構成し、前記一方のリンク部材の一端を、前記連結ボルト上で回動するように軸支させたことを特徴としている。
この特徴によれば、調整ナットの回動操作によって、第２支持金具の垂直片と第１支持金具の外方の垂直片との間隙幅の調整を容易に行うことができるとともに、この連結ボルトを利用して一方のリンク部材の一端を支持させたことで、部品点数を抑えることができる。
【０００８】
本発明の請求項３に記載の天板に蓋体を備えた机は、請求項２に記載の天板に蓋体を備えた机であって、前記連結ボルトが、前記第１支持金具の外方の垂直片から貫挿され、前記第２支持金具の垂直片を貫通して、前記第１支持金具の内方の垂直片に貫挿されるものとしたことを特徴としている。
この特徴によれば、連結ボルトが第１支持金具の外方の垂直片と、第２支持金具の垂直片と、第１支持金具の内方の垂直片の３片でより安定した状態で支持されることから、連結ボルトに軸支される一方のリンク部材の支持強度がより高められるとともに、リンク部材の組み付けも容易に行える。
【０００９】
本発明の請求項４に記載の天板に蓋体を備えた机は、請求項１乃至３のいずれかに記載の天板に蓋体を備えた机であって、前記第１支持金具の内方の垂直片と、前記第２支持金具の垂直片との間にダンパーを支持させ、該ダンパーから前記空間に向けて延びた回転制動力が付加される回動軸に前記両リンク部材のうち他方のリンク部材の一端を回動不能に取り付けたことを特徴としている。
この特徴によれば、第１支持金具の内方の垂直片と、第２支持金具の垂直片との２片の垂直片間でダンパーが安定して保持されるとともに、このダンパーの回動軸に他方のリンク部材の一端が回動不能に取り付けられるので、ダンパーによって蓋体の急激な開閉運動が規制され、蓋体の急な落下等によって生じる事故を未然に防止できる。
【００１０】
本発明の請求項５に記載の天板に蓋体を備えた机は、請求項１乃至４のいずれかに記載の天板に蓋体を備えた机であって、前記第２支持金具の水平片に左右方向に向く長孔を穿設し、ボルトを該長孔および前記第１支持金具の水平片に設けたボルト孔に介挿させて前記天板に螺着することで、前記第１支持金具および前記第２支持金具を天板に固定したことを特徴としている。
この特徴によれば、ボルトで長孔およびボルト孔を介して第１支持金具および第２支持金具を天板に仮固定させたのち、長孔の長さ方向に沿って第２支持金具を摺動案内できるので、第１支持金具の外方の垂直片と第２支持金具の垂直片の間隙幅を位置調整した後、両支持金具をボルトでしっかりと天板に固定できる。
【００１１】
本発明の請求項６に記載の天板に蓋体を備えた机は、請求項２乃至５のいずれかに記載の天板に蓋体を備えた机であって、前記一方のリンク部材の一端は回転ブッシュを介して前記連結ボルトに回動可能に支持されていることを特徴としている。
この特徴によれば、回転ブッシュの両端を第1支持金具の外方の垂直片と第２支持金具の垂直片で挟持させることができるので、一方のリンク部材が連結ボルトに対して常に安定した状態で円滑に回動される。
【発明を実施するための最良の形態】
【００１２】
本発明の実施例を以下に説明する。
【実施例】
【００１３】
図１は、本発明の実施例における机の天板上で蓋体の一部が開放された正面全体像を示す斜視図であり、図２は、机の全ての蓋体が閉じられた背面全体像を示す斜視図であり、図３（ａ）は、第１支持金具に取り付けられる第２支持金具に後部リンク部材や油圧ダンパー等の各部材を取り付ける過程を示す分解組立斜視図であり、図３（ｂ）は、第２支持金具と前部リンク部材を第１支持金具に取り付ける過程を示す分解組立斜視図であり、図４（ａ）は、第１支持金具と第２支持金具の連結過程を示す要部拡大断面図であり、図４（ｂ）は、第１支持金具に第２支持金具が固定された状態を示す要部拡大断面図であり、図５（ａ）は、第２支持金具やリンク部材が取り付けられた第１支持金具と板材の組み立て過程を示す分解組立斜視図であり、図５（ｂ）は、第１支持金具に板材を取り付けた組立完成斜視図であり、図６は、蓋体の閉蓋状態を示す図２のＡ−Ａ線の側断面図であり、図７は、蓋体の開放状態を示す側断面図である。
【００１４】
本発明における机は、主としてノート型パソコン等の機器を常設させる学校内の専門教室に設置されるもので、教室の不使用時に机の天板上に設置される機器に蓋体を閉蓋させ、この蓋体を天板にロックさせることで、機器の盗難防止および外部からの破損防止を目的として利用されている。
【００１５】
図１に示されるように机１は、主に一対の脚柱２，２’と、脚柱２，２’の上端に支持固定された天板３と、一対の脚柱２，２’間に設けられた幕板２ａと、天板３上面の長さ方向に沿って並列された３つの蓋体４と、から構成されている。これら３つの蓋体４により天板３が３つに区画されており、各区画毎に機器３０（図６，７参照）を載置可能になっている。
【００１６】
以下、本実施例の説明において、机１の正面側を前方をとし、机１の背面側を後方とし、一方の脚柱２側を左方とし、他方の脚柱２’側を右方として説明する。なお、３つの蓋体４の構造は同一構造であるので、本実施例では、一つの蓋体４の構造について以下に説明し、他の蓋体４，４の説明は割愛する。
【００１７】
そこで蓋体４について説明すると、蓋体４は上面を構成する蓋材４ｅと、蓋材４ｅの下面前端を支持する前面板４ａと、蓋材４ｅの下面の左右に設けられた板材１５，１５と、前面板４ａの背面側に設けられた断面略逆Ｌ字型の係合片４ｂと、から構成されている。この板材１５，１５の後端部には、天板３上部後方に左右一対で後に詳述するの基部８，８が設けられ、この基部８，８に両リンク部材１０，１１の一端側が軸支され、前部リンク部材１０および後部リンク部材１１の他端側が板材１５，１５に回動可能に軸支されることで、蓋体４は天板３に対して両リンク部材１０，１１を介して開閉放可能となっている。
【００１８】
天板３の後方には各区画毎に上下に貫通する配線孔３ａが形成され、旋錠信号および解錠信号等の各種信号の送受信を行うＬＡＮ等の信号ケーブルと、電力を供給する電気コード等の給電ケーブルと、を含む通信ケーブル２６を挿通させることで、天板３に載置される機器に接続可能になっている。この配線孔３ａと基部８の一部を外部から遮蔽するように、カバー体２０を机１の正面側より取付可能になっており、カバー体２０に形成された切欠溝２０ａを介して配線孔３ａからの通信ケーブル２６を天板３上に配線させている。
【００１９】
天板３の前端部には各区画毎に鍵孔３ｂが設けられており、蓋体４の係合片４ｂの下端中央位置には鍵孔３ｂより若干大きい係合孔４ｃが形成されており、蓋体４の閉塞時に鍵孔３ｂと係合孔４ｃとの位置が略同位置で重なる（図６参照）ようになっている。天板３の前端部の下面には鍵ユニット２２が設けられており、正面右側から施解錠ランプ２２ｂ、全旋錠ランプ２２ａ、および蓋体４を開放不能にロックする電動アクチュエータを備えた施解錠（以下「施解錠」という）２１が設けられている。
【００２０】
図２に示されるように、天板３上面の後方位置からは、背面フレーム１９がやや斜め前方に向けて立設されており、背面フレーム１９によって蓋体４の閉塞時であっても、蓋体４の後方側が外部に開放されないようになっている。この蓋体４の閉塞位置では、機器３０の外周が天板３，蓋材４ｅ，前面板４ａ，係合片４ｂ，背面フレーム１９，板材１５，１５に囲繞されることで機器３０自体及び前部リンク部材１０および後部リンク部材１１を外部から遮蔽することができる。
【００２１】
さらに、蓋材４ｅの上面が天板３の上面に対して略水平になるように、前面板４ａに設けられた係合片４ｂを天板３に支持させることで、蓋材４ｅを天板３の代用として使用することが可能になっている。また、左方位置の蓋体４に対応する背面フレーム１９の左側端部には、背面側からも施解錠状態を確認できるように、施解錠ランプ１９ｂおよび全施錠ランプ１９ａが設けられている。
【００２２】
次に、基部８と前部リンク部材１０および後部リンク部材１１と板材１５との連結構造を図３および図４，図５を用いて詳細に説明する。まず図３（ａ）に示されるように、基部８は正面視で上方が開口されたコ字状の第１支持金具５と、正面視逆Ｌ字状の第２支持金具６とから構成されている。
【００２３】
第１支持金具５には、水平片５ｅの左右端から上方に向けて折り曲げ形成された内方垂直片５ｄおよび外方垂直片５ｄ’を備え、水平片５ｅには上下に貫通するボルト孔５ｂ，５ｂ’が前後に形成され、内方垂直片５ｄおよび外方垂直片５ｄ’にはそれぞれ左右に軸孔５ａ，５ａ’が穿設されている。内方垂直片５ｄの前方には上方に開口する係止受溝５ｃが形成され、上端には内方に向けて折り曲げ形成され中央位置に取付孔５ｇが穿設された取付片５ｆが設けられている。内方垂直片５ｄの内方側には軸孔５ａに重なる位置で固定ナット５ｈが溶着されている。
【００２４】
第２支持金具６には、水平片６ｅの右端から上方に向けて折り曲げ形成された垂直片６ｄを備え、水平片６ｅには左右方向を向く長孔６ｂが穿設され、垂直片６ｄには前方位置に内方に向けて凸設部６ｆが設けられ、この凸設部６ｆから垂直片６ｄに貫通孔６ａが穿設されており、垂直片６ｄの後方位置に貫通孔６ａ’が穿設されている。
【００２５】
この凸設部６ｆには油圧ダンパー９を取り付け可能になっており、油圧ダンパー９に設けられた回動軸９ａを貫通孔６ａに貫通させることで取り付けられる。なお、油圧ダンパー９の回動軸９ａと対向する側には上下に向けて係合突起９ｃが形成され、内方垂直片５ｄの係止受溝５ｃと係合可能に構成されている。
【００２６】
後部リンク部材１１には前方の他端部１１ａに軸孔１１ａ’が穿設され、後方の一端部１１ｂに軸孔１１ｂ’が穿設されている。この軸孔１１ｂ’には一対の回動ブッシュ１６，１６’が左右両端側よりそれぞれ嵌合可能に取り付けられている。外方垂直片５ｄ’の軸孔５ａ’には間隔調整手段の一部である連結ボルト７を外方側より内方に向けて貫挿可能になっている。なお、連結ボルト７にはネジの切られた雄ネジ部７ａとその一部にネジ切りなしの支軸部７ｂとから形成されている。
【００２７】
そこで、第１支持金具５に第２支持金具６を取り付けるには、まず垂直片６ｄの貫通孔６ａ’に重なるように、垂直片６ｄから内方側に向けてワッシャ１２と間隔調整手段の一部である調整ナット７ｃを並列させ貫通孔６ａ’に位置を重ね合わせ、垂直片６ｄから外方側に向けて回動ブッシュ１６，１６’を取り付けた後部リンク１１の軸孔１１ｂ’とワッシャ１２とを並列させる。
【００２８】
そして、図３（ｂ）に示されるように、凸設部６ａに油圧ダンパー９を取り付け、垂直片６ｄから外方に向けて突設された回動軸９ａに前部リンク１０の一端部１０ｂに形成された軸孔１０ｂ’を回動不能に嵌合して一体化させる。なお、前部リンク部材１０の他端部１０ａには軸孔１０ａ’が形成されるとともに、一端部１０ｂの上部位置には後方リンク部材１１の他端部１１ａとの干渉を避けるために凹溝１０ｃが形成されている。
【００２９】
次いで、第２支持金具６を第１支持金具５内に移動させていく。この移動の際に前述の油圧ダンパー９に形成された係合突起９ｃを第１支持金具５の係止受溝５ｃに嵌合させながら徐々に下方に向けて摺動させていくことで、第２支持金具６の水平片６ｅの長孔６ｂと、第１支持金具５の水平片５ｅのボルト孔５ｂ’の位置とが重なった状態となる。そこで、ボルト１３’をボルト孔５ｂに貫通させながら天板３に螺合させることで、第１支持金具５が天板３に固定され取り付けられる。
【００３０】
次いで、図４（ａ）に示されるように、ボルト１３を第２支持金具６の長孔６ｂおよび第１支持金具５のボルト孔５ｂ’に介挿して天板３に螺着させることで、第２支持金具６が天板３に仮固定される。そして、連結ボルト７を外方垂直片５ｄ’の軸孔５ａ’から内方に向けて移動させ、ワッシャ１２、一対の回動ブッシュ１６’，１６、第２支持金具６の貫通孔６ａ’、ワッシャ１２に貫挿させていく。さらに調整ナット７ｃに連結ボルト７の雄ネジ部７ａを螺合させながら取り付け、雄ネジ部７ａを第１支持金具５の軸孔５ａを介して固定ナット５ｈに螺合させ、連結ボルト７を第１支持金具５に固定させる。
【００３１】
そこで、調整ナット７ｃを連結ボルト７に対して外方に移動するように回動させていくと、図４（ｂ）に示されるように調整ナット７ｃがワッシャ１２を介して垂直片６ｄに当接され、徐々に長孔６ｂの長さ方向に沿って第２支持金具６の水平片６ｅが第１支持金具５の水平片５ｅに沿って摺動案内され、第１支持金具５の外方垂直片５ｄ’と第２支持金具５の垂直片６ｄで後部リンク部材１１の一端部１１ｂに取り付けられた回動ブッシュ１６，１６’の軸方向の移動が阻止される。
【００３２】
最後に、ボルト１３を天板３に螺合させていくことで、第２支持金具６が第１支持金具５を介して天板３に固定される。つまり、回動ブッシュ１６，１６’の両端が第１支持金具５の外方垂直片５ｄ’と第２支持金具５の垂直片６ｄで挟まれることで、蓋体４を天板３に対して開閉する際に、後部リンク部材１１が連結ボルト７の支軸部７ｂに対して軸方向にガタのない常に安定した状態で回動支持される。
【００３３】
このように、第１支持金具５の外方垂直片５ｄ’と第２支持金具６ｄの垂直片６ｄとで構成される空間の間隙幅を調整する間隔調整手段が連結ボルト７と調整ナット７ｃの２部品で構成することで、この連結ボルト７を利用して後部リンク部材１１の一端部１１ｂを支持させたことで間隙幅の調整が容易に行え、しかも、連結ボルト７が外方垂直片５ｄ’と、垂直片６ｄと、内方垂直片５ｄの３片でより安定した状態で支持することができるから、連結ボルト７に軸支される後部リンク部材１１の支持強度がより高められるとともに、部品点数を抑えることができ、後部リンク部材１１の組み付けも容易に行える。
【００３４】
図５（ａ）に示されるように、蓋体４の閉塞位置にあっては、前部リンク部材１０の凹溝１０ｃに後部リンク部材１１の他端部１１ａが収納された状態になっており、両リンク部材１０，１１の軸孔１０ａ’，１１ａ’の位置が天板３に対して略水平に保たれるようになっている。板材１５の内側面１５ｆ後方側からは内方に向けて、両リンク部材１０，１１の軸孔１０ａ’，１１ａ’の離間幅と同じ間隔幅で前後に前部ピン１５ａおよび後部ピン１５ｂが突設されている。
【００３５】
この前部ピン１５ａを軸孔１０ａ’にワッシャ１２’を介して挿通させ、後部ピン１５ｂを軸孔１１ａ’にワッシャ１２’を介して挿通させることで、両リンク部材１０，１１は板材１５に軸止され、板材１５は基部８に対して回動自在に連結される。板材１５の内側面１５ｆ前方には、内方に向けて前後長手方向に手掛部１５ｄが形成されており、蓋体４の開放時に利用する。また、板材１５の後方の上端には蓋材４ｅを支持する支持部１５ｅが内方に向けて形成されている。
【００３６】
次いで、天板３に蓋体４を閉塞した状態における第１支持金具５と板材１５の関係について説明すると、図５（ｂ）に示されるように、板材１５の内側面１５ｆは第１支持金具５の外方垂直片５ｄ’と近接された状態で若干外方に位置されており、両リンク部材１０，１１の一端部１０ｂ，１１ｂおよび油圧ダンパー９等を周囲より遮蔽しているので外部からの見栄えも良く、蓋体４に鎖錠装置を附帯させれば外部からのいたずら等も防止可能である。
【００３７】
また、第２支持金具６を第１支持金具５内に設けたことで、前部リンク部材１０および後部リンク部材１１の取り付け間隔幅が狭められ、蓋体４の開閉時に伴う両リンク部材１０，１１の左右へのブレ幅を極力抑えた構成になっているので、両リンク部材のがたつきのない安定した支持が可能である。
【００３８】
さらに、油圧ダンパー９は第１支持金具５の内方垂直片５ｄと第２支持金具６の垂直片６ｄとの間で保持されるとともに、前部リンク部材１０の一端部１０ｂは油圧ダンパー９の回動軸９ａに回動不能に嵌合されているので、前部リンク部材１０の回動速度、即ち後述する蓋体４の開閉移動の際にダンピング作用を持たせることができる。特に蓋体４の閉塞方向の移動速度が大きく規制されるようにすることで、蓋体４の開放は素早く、閉鎖方向にはブレーキが掛かり天板３上にゆっくりと載置させることができる。したがって、蓋体４の急激な開閉運動が規制され、蓋体４の急な落下等によって生じる事故を未然に防止できる。
【００３９】
また、前述のカバー体２０を基部８に取り付けるには、内方垂直片５ｄの上端に設けられた取付片５ｆの取付孔５ｇにカバー体２０の端部に形成された貫通孔２０ｂを重ねて合わせ、ネジ１４で貫通孔２０ｂを介して取付孔５ｇに螺合させるだけで簡便に取り付けることができ、このカバー体２０によって垂直片６ｄと内方垂直片５ｄの間隙間の内部を外部より遮蔽できる（図１参照）。
【００４０】
次に、蓋体４の開閉移動について図６および図７を用いて具体的に説明する。まず、図６に示されるように、蓋体４が天板３上に閉塞された状態では、前面板４ａ背面にネジ等で固定された係合片４ｂが鍵ユニット２２に設けられた施解錠２１により開放不能に保持されている。
【００４１】
施解錠２１には、旋錠信号および解錠信号等の各種信号の送受信を行う信号ケーブルと、電力を供給する給電ケーブルと、を含む通信ケーブル２６が、脚柱２内部に設けられた中継装置２５に各々接続され、施解錠２１に隣接して設けられた全旋錠ランプ２２ａおよび施解錠ランプ２２ｂにも、通信ケーブル２６を介して中継装置２５に各々接続され、施解錠２１の旋錠および解錠に基づき点灯制御されている（図１参照）。背面フレーム１９に設けられた全旋錠ランプ１９ａおよび施解錠ランプ１９ｂにおいても、特に図示しないが通信ケーブル２６を介して中継装置２５に各々接続され点灯制御されている（図２参照）。
【００４２】
この中継装置２５は、本実施例においては特に図示しないが、教室内に設けられた中央制御装置に通信ケーブル２６を介して接続され、中継装置２５と旋錠信号および解錠信号等の各種信号の送受信を相互に行い、蓋体４の閉塞状態では施解錠２１内の電動アクチュエータ２１ｂを駆動させることで、カマ錠２１ａが係合片４ｂに係合され蓋体４が開放不能にロックした状態となる。
【００４３】
この蓋体４の閉塞位置では、予め板材１５の下端部１５ｃの位置が天板３の上面よりも所定間隔上方に位置するように蓋材４ｅに取り付けてあり、この間隔は指が軽くはいる程度の大きさであり、この間隙に指を差し入れて蓋体４の開放を容易に行わせることが可能となる。また、蓋体４を閉じた際に、指が板材１５の下端部と天板３上面との間に挟まって怪我をするような事態も回避できる。
【００４４】
なお、板材１５と天板３との所定間隔幅は、天板３上に載置される機器３０の厚み幅よりも短く形成されており、外部から機器３０を抜き出せない構成になっていることで、蓋体４の閉塞位置のロック状態では機器３０の盗難等が防止される。
【００４５】
閉蓋された蓋体４の開放を行うには、まず中継装置２５による施解錠２１の制御で係合片４ｂからカマ錠２１ａを解錠させたのち、板材１５と天板３の間に指を挿し入れ、さらに指を折り曲げることで手掛部１５ｄに当接させ、この手掛部１５ｄを利用して蓋体４を持ち上げていく。この手掛部１５ｄを利用することで、蓋体４の自重による指への圧力が分散され利用者への負担を低減でき、より簡便に蓋体３の開閉作業を行わせることができる。なお、蓋体４に手掛部が形成されていれば、板材１５の手掛部１５ｄをあえて使用する必要はない。
【００４６】
蓋体４を持ち上げていくに従って、前部リンク部材１０の一端部１０ｂが前述の油圧ダンパー９の回動軸９ａを中心に回動されはじめ、その他端部１０ａも徐々に矢印に示される方向に回動移動する。同時に後部リンク部材１１の一端部１１ｂも前述の連結ボルト７の支軸部７ｂを中心に回動すると同時に、その他端部１１ｂが矢印に示される方向に移動する。
【００４７】
そして、図７に示されるように蓋体４は回動制限手段により前方に若干前傾された状態で開放停止させることができる。この回動制限手段は周知のいかなる手段を採用することが可能であり、例えば、両リンク部材１０，１１のいずれか一方に回動規制部を形成してもよいし、回動位置規制のある油圧ダンパーを使用してもよいし、蓋体４の後面部側に開放位置で天板と当接する当接材を設けるようにしてもよい。
【００４８】
このように、蓋体４の開放位置を天板３の前方に向かって若干前傾させた状態としたことで、机１の背面側に位置する人と蓋体４との接触が極力回避され、また、前傾された蓋体により天板上に載置された機器の表示パネルに入り込む上方からの光の一部を遮蔽でき、例えば、機器がノート型パソコンである場合に、表示パネルがより見やすい効果がある。
【００４９】
また、２本の両リンク部材１０，１１を用いることにより、蓋体４の開放時に天板３の後方に蓋体４を保持させることで、蓋体４を天板３より少し後方に位置させることができ、天板３上の空間部における蓋体４による圧迫感から開放される。
【００５０】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、一方のリンク部材を後部リンク部材１１とし、他方のリンク部材を前部リンク部材１０として説明したが、本発明はこれに限定されるものではなく、例えば、後部リンク部材１１の一端部１１ｂに油圧ダンパー９の回動軸９ａを回動不能に取り付け、前部リンク部材１０の一端部１０ｂを連結ボルト７の支軸部７ｂで軸支させるようにしてもよいことは言うまでもなく、一方のリンク部材を前部リンク部材１０とし、他方のリンク部材を後部リンク部材１１として連結ボルト７と油圧ダンパー９の位置を前後反転させた構成にしてもよい。
【００５１】
また、上記実施例では、連結ボルト７を外方垂直片５ｄ’から垂直片６ｄを介して内方垂直片５ｄに貫通させているが、本発明はこれに限定されるものではなく、連結ボルト７を内方垂直片５ｄから垂直片６ｄを介して外方垂直片５ｄ’に貫通させる構成にしてもよい。
【００５２】
また、上記実施例では、油圧ダンパー９で蓋体４の閉塞速度を制限することで蓋体４の開閉作業における安全性が確保されているが、油圧ダンパーに代えてエアーダンパーや、ばね式のダンパーであってもよい。
【図面の簡単な説明】
【００５３】
【図１】本発明の実施例における机の天板上で蓋体の一部が開放された正面全体像を示す斜視図である。
【図２】机の全ての蓋体が閉じられた背面全体像を示す斜視図である。
【図３】（ａ）は、第１支持金具に取り付けられる第２支持金具に後部リンク部材や油圧ダンパー等の各部材を取り付ける過程を示す分解組立斜視図であり、（ｂ）は、第２支持金具と前部リンク部材を第１支持金具に取り付ける過程を示す分解組立斜視図である。
【図４】（ａ）は、第１支持金具と第２支持金具の連結過程を示す要部拡大断面図であり、（ｂ）は、第１支持金具に第２支持金具が固定された状態を示す要部拡大断面図である。
【図５】（ａ）は、第２支持金具やリンク部材が取り付けられた第１支持金具と板材の組み立て過程を示す分解組立斜視図であり、（ｂ）は、第１支持金具に板材を取り付けた組立完成斜視図である。
【図６】蓋体の閉蓋状態を示す図２のＡ−Ａ線の側断面図である。
【図７】蓋体の開放状態を示す側断面図である。
【符号の説明】
【００５４】
１                机
３                天板
４                蓋体
４ａ              前面板
４ｂ              係合片
５                第１支持金具
５ａ，５ａ’      軸孔
５ｂ，５ｂ’      ボルト孔
５ｃ              係止受溝
５ｄ              内方垂直片
５ｄ’            外方垂直片
５ｅ              水平片
５ｆ              取付片
５ｇ              取付孔
５ｈ              固定ナット
６                第２支持金具
６ａ、６ａ’      貫通孔
６ｂ              長孔
６ｄ              垂直片
６ｅ              水平片
６ｆ              凸設部
７                連結ボルト（間隔調整手段の一部）
７ａ              嵌合部
７ｂ              回転部
７ｃ              調整ナット（間隔調整手段の一部）
８                基部
９                油圧ダンパー
９ａ              回動軸
９ｃ              係合突起
１０              前部リンク部材（他方のリンク部材）
１０ａ            他端部（他方のリンク部材の他端）
１０ａ’          軸孔
１０ｂ            一端部（他方のリンク部材の一端）
１０ｂ’          軸孔
１０ｃ            凹溝
１１              後部リンク部材（一方のリンク部材）
１１ａ            他端部（一方のリンク部材の他端）
１１ａ’          軸孔
１１ｂ            一端部（一方のリンク部材の一端）
１１ｂ’          軸孔
１３，１３’      ボルト
１５              板材
１５ａ            前部ピン
１５ｂ            後部ピン
１５ｃ            下端部
１５ｄ            手掛部
１５ｅ            支持部
１５ｆ            内側面
１６、１６’      回動ブッシュ
１９              背面フレーム
２０              カバー体
３０              機器（パソコン等）
【図１】
2006223715.tif 000003
【図２】
2006223715.tif 000004
【図３】
2006223715.tif 000005
【図４】
2006223715.tif 000006
【図５】
2006223715.tif 000007
【図６】
2006223715.tif 000008
【図７】
2006223715.tif 000009